(57)【特許請求の範囲】
【請求項１】
音声を認識する音声認識手段と、
前記音声認識手段により認識した前記音声から病名および症状の少なくとも一方との関連度に基づいて、音声情報を取得する音声情報取得手段と、
前記音声情報取得手段により取得した前記音声情報に患者の病名および病名とは異なる患者の症状を示す用語の少なくとも一方が含まれているか否かを判断する判断手段と、
前記音声情報に病名が含まれていると判断された場合には病名に基づいて前記患者の過去の医療情報から一部の医療情報を特定し、前記音声情報に病名が含まれず症状を示す用語が含まれる場合には症状を示す用語に基づいて推定された病名に基づいて前記過去の医療情報から一部の医療情報を特定する特定手段と、
前記特定手段により特定された医療情報と他の医療情報とを識別可能な状態で表示手段に表示させる表示制御手段と、
を備える情報処理装置。
【請求項２】
前記音声認識手段により認識された病名を含む第１の音声と前記第１の音声が認識されてから所定期間内に認識された病名を含まない第２の音声とにおいて、
前記第２の音声が認識された場合、前記特定手段は、前記第１の音声に含まれる病名および前記第２の音声に含まれる情報に基づいて前記過去の医療情報から一部の医療情報を特定することを特徴とする請求項１記載の情報処理装置。
【請求項３】
前記特定手段は、病名または推定された病名と患者の医療情報の取得日時と前記医療情報が示す重篤度とに基づいて前記医療情報から一部の医療情報を特定することを特徴とする請求項１または請求項２記載の情報処理装置。
【請求項４】
患者情報に基づいて前記重篤度を変更する変更手段を更に備えることを特徴とする請求項３記載の情報処理装置。
【請求項５】
前記患者情報は、患者の年齢および性別の少なくとも１つの情報を含むことを特徴とする請求項４記載の情報処理装置。
【請求項６】
前記音声情報取得部は、音声情報として複数の用語を取得することを特徴とする請求項１乃至５のいずれか一項に記載の情報処理装置。
【請求項７】
前記判断手段により、前記音声情報取得部により取得された前記複数の用語に前記病名が存在しないと判断された場合であって、且つ前記複数の用語に症例を示す用語が複数含まれていると判断された場合に、前記特定手段は、複数の前記症例を示す用語のうち関連度が最も高い用語から推定された病名に基づいて医療情報の特定を行うことを特徴とする請求項６に記載の情報処理装置。
【発明の詳細な説明】
【技術分野】
【０００１】
本発明は情報処理装置に関する。
【背景技術】
【０００２】
近年、多くの医療現場では、病院情報システム（ＨＩＳ）や画像保管通信システム（ＰＡＣＳ）、放射線情報システム（ＲＩＳ）等の医療情報システムの普及に伴い、医用画像及び医用文書の電子化が進んでいる。医療現場では、患者の全体像を素早く確認するために、医療従事者が過去の医療情報、例えば医用画像や医用文書、バイタル情報、投薬情報、既往歴や家族歴等、治療に必要な各種医療情報を経時変化に沿って確認し、診断時の判断材料としている。
【０００３】
医師等の医療従事者は、問診時は患者と対話しながらも上記のような医療情報を参照し患者の状況を即座に把握しなければならない。すなわち、問診時における医療情報の検索は、医療従事者の負担となっていた。
【０００４】
このような課題を解決するため、音声入力による医療情報の検索が行われている（特許文献１）。
【０００５】
特許文献１では、読影医師が音声入力部に対し、「○日○時○○分の検査の画像を表示」と発声することで、医療情報システム内から対象のレポートを表示することが開示されている。
【先行技術文献】
【特許文献】
【０００６】
【特許文献１】特開２００５−０２７９７８号公報
【発明の概要】
【発明が解決しようとする課題】
【０００７】
しかしながら、特許文献１では、音声入力として受け付け可能な情報は日時または検査種別などのあらかじめ設定された項目と対応付けられている。そのため、設定されていない項目の情報が音声入力された場合には適切なレポートを表示することができない。特に問診（診察）時には「咳が出る」等の症状から病名を探る状況があるため、特許文献１において受付可能な情報以外の情報も医療情報を検索するためには重要な要素となり得る。
【０００８】
このように、従来の音声入力により医療情報の検索では、問診時に医師等が発する言葉を有効に利用にして医療情報を検索することができないという課題がある。
【０００９】
本発明は、上記の課題に鑑みてなされたものであり、医師等が発する言葉を有効に利用にして医療情報を検索することを目的の一つとする。
【００１０】
なお、前記目的に限らず、後述する発明を実施するための形態に示す各構成により導かれる作用効果であって、従来の技術によっては得られない作用効果を奏することも本件の他の目的の１つとして位置付けることができる。
【課題を解決するための手段】
【００１１】
本発明の情報処理装置は、音声を認識する音声認識手段と、
認識した音声に患者の病名および病名とは異なる患者の症状を示す用語の少なくとも一方が含まれているか否かを判断する判断手段と、
前記音声に病名が含まれていると判断された場合には病名に基づいて前記患者の過去の医療情報から一部の医療情報を特定し、前記音声に病名が含まれず症状を示す用語が含まれる場合には症状を示す用語に基づいて推定された病名に基づいて前記過去の医療情報から一部の医療情報を特定する特定手段と、
前記特定手段により特定された医療情報と他の医療情報とを識別可能な状態で表示手段に表示させる表示制御手段と、を有する。
【発明の効果】
【００１２】
本発明によれば、医師等が発する言葉を有効に利用にして医療情報を検索することができる。
【図面の簡単な説明】
【００１３】
【図１】本発明における情報処理装置を備える医用情報システムの概略構成の一例を示す図である。
【図２】本発明における情報処理装置の機能の一例を示す機能ブロック図である。
【図３】本発明における情報処理装置の処理の流れの一例を示す図である。
【図４】本発明における情報処理装置の音声認識部の処理の流れを示す図である。
【図５】本発明における情報処理装置の音声情報特定部の処理の流れを示す図である。
【図６】本発明における情報処理装置の医療情報取得部の処理の流れを示す図である。
【図７】本発明における情報処理装置の医療情報特定部の処理の流れを示す図である。
【図８】本発明における情報処理装置の医療情報の表示処理の流れを示す図である。
【図９】本発明における表示処理（強調表示）の一例を示す図である。
【図１０】本発明における表示処理（人体シルエット表示）の一例を示す図である。
【図１１】本発明における表示処理（スライス画像の特定表示）を示す図である。
【図１２】本発明における表示処理（比較表示）の一例を示す図である。
【発明を実施するための形態】
【００１４】
以下、添付の図面を参照して、本発明をその好適な実施形態に基づいて詳細に説明する。なお、以下の実施形態において示す構成は一例に過ぎず、本発明は本明細書及び図面に開示された構成に限定されるものではない。
【００１５】
＜実施例１＞
図１は本発明の第１実施形態における情報処理装置を備える医用情報システムの概略構成を示す図である。
【００１６】
図１において、ネットワーク１００には、モダリティ１０１、ＨＩＳ１０２、ＲＩＳ１０３、ＰＡＣＳ１０４、情報処理装置１０５、情報記録部としてクラウド１１２、情報機器１１３、音声入力装置１１４が互いに通信可能な状態で接続されている。
【００１７】
モダリティ１０１は、被検体の検査対象部位を撮影することにより、その部位を二次元もしくは三次元的に表した医用画像データを生成する。具体的には、ＣＴ、ＭＲＩ、超音波撮像装置等が該当する。この画像データにＤＩＣＯＭ規格で規定された付帯情報を付加し、画像情報として出力する装置も、モダリティ１０１に含まれる。なお、医用画像データの中には画像に付随するテキスト情報、例えば、画像種別、医療従事者のコメント、撮影時の設定情報（色やコントラスト等の画像調整値）、比較画像へのリンク先情報等を含んでも良い。画像種別には、モダリティ１０１に対応した情報が含まれており、具体的はモダリティ名等が当てはまる。また、撮影された医用画像データは、ネットワーク１００を介して、ＨＩＳ１０２、ＲＩＳ１０３、ＰＡＣＳ１０４に送信される。
【００１８】
ＨＩＳ１０２は病院情報システムであり、電子カルテシステム等が該当する。ＨＩＳ情報表示部１０２ａ、ＨＩＳ情報制御部１０２ｂ、ＨＩＳ情報記録部１０２ｃを有する。なお、ＨＩＳ情報記録部１０２ｃの記録の他に、クラウド１１２内のＨＩＳ情報記録部１１２ａに記録しても良い。
【００１９】
ＨＩＳ情報記録部１０２ｃとクラウド１１２内のＨＩＳ情報記録部１１２ａとは、患者の個人情報として、氏名、性別、年齢、身長、体重、国籍等が記録される。また、患者の医療情報として、患者の病状、既往歴、検査結果、診断結果、読影レポート、医用画像等の院内にある患者に関する情報全般が記録される。
【００２０】
ＲＩＳ１０３は、放射線情報システムであり、ＲＩＳ情報表示部１０３ａ、ＲＩＳ情報制御部１０３ｂ、ＲＩＳ情報記録部１０３ｃを有する。なお、ＲＩＳ情報記録部１０３ｃの記録の他に、クラウド１１２内のＲＩＳ情報記録部１１２ｂに記録しても良い。
【００２１】
ＲＩＳ情報記録部１０３ｃとクラウド１１２内のＲＩＳ情報記録部１１２ｂとは、超音波、内視鏡、眼底などの非放射線機器による検査結果と治療の記録をはじめ、検査予約情報に関する情報全般が記録される。
【００２２】
ＰＡＣＳ１０４は、医用画像保管通信システムで、ＰＡＣＳ情報表示部１０４ａ、ＰＡＣＳ情報制御部１０４ｂ、ＰＡＣＳ情報記録部１０４ｃを有する。なお、ＰＡＣＳ情報記録部１０４ｃの記録の他に、クラウド１１２内のＰＡＣＳ情報記録部１１２ｃに記録しても良い。また、ＰＡＣＳ１０４で扱う画像にはＤＩＣＯＭ規格画像を少なくとも含む。なお、ＤＩＣＯＭ規格とは、米国放射線学会と北米電子機器工業会が開発した、ＣＴやＭＲＩ等で撮影した医用画像のフォーマットを含む情報全般を指す。ＤＩＣＯＭ規格では、画像以外の情報も内包可能であるため、ＰＡＣＳ１０４が保持する情報には動画や音声データも含まれる。
【００２３】
ＰＡＣＳ情報記録部１０４ｃとクラウド１１２内のＰＡＣＳ情報記録部１１２ｃとは、医用画像とそれに付随する情報が登録される。付随する情報には、個々の画像を識別する画像ＩＤ、被写体を識別する患者ＩＤ、検査日や検査時刻等の医用画像に関する情報全般が記録される。また読影レポートを作成した場合は、読影医氏名、読影画像、所見等の読影に関する情報全般も記録される。
【００２４】
クラウド１１２は、必要に応じてネットワーク経由でアクセス可能なコンピュータ資源の集合体である。コンピュータによる処理やデータの格納（計算資源）はネットワーク１００を介して利用する。クラウド１１２内には、情報記録部１０９と同じ構成を持つ情報記録部１１２ａ、１１２ｂ、１１２ｃが含まれていても良い。また、クラウド１１２は、院外、院内どこに置かれていてもかまわない。
【００２５】
情報機器１１３は、センサを通じて情報を読み込む装置である。情報機器１１３には、撮影機器１１３ａ、複写機１１３ｂ、記憶媒体全般１１３ｃ、携帯情報端末１１３ｄを少なくとも含む。
【００２６】
音声入力装置１１４は、人間の音声情報を読み込む装置である。音声入力装置１１４にはマイクを少なくとも含む。
【００２７】
医療知識データベース１１５は、医療辞書の情報を有し、病名や症状を少なくとも含む。例えば、医療知識データベース１１５は、病名と当該病名を特定するために一般的に用いられる検査、検査部位および検査の基準値とが病名毎に対応付けられた情報を保持している。ここで、基準値とは正常と判断される数値の範囲でもよいし、異常と判断される数値であってもよい。例えば、「肺炎」という病名に対して「Ｘ線検査」という検査、「胸部」という検査部位が対応付けられた情報を医療知識データベース１１５は保持している。また、「肺炎」という病名に対して「白血球数（ＣＲＰ）３５００〜９９００μl」という正常と判断される数値範囲が対応付けられた情報を医療知識データベース１１５は保持している。なお、数値は例示である。
【００２８】
さらに、医療知識データベース１１５は、患者の症状を示す用語と病名とが症状を示す用語毎に対応付けられた情報を保持している。例えば、「咳が出る（咳が出て）」と症状を示す用語に対して「気管支喘息」および「肺炎」とが対応付けられた情報を医療知識データベース１１５は保持している。  図２は、本発明の第１実施形態における情報処理装置の機能ブロック図である。
【００２９】
図２において、情報処理装置１０５は、受送信部１０６、制御部１０７、情報記録部１０９、表示部１１０を有する構成となっている。
【００３０】
受送信部１０６はネットワーク１００を介して医療情報を受信する。また、受送信部１０６は制御部１０７の制御のもと医療情報をネットワーク１００を介して他の装置に送信する。
【００３１】
制御部１０７は、音声入力装置１１４により医用情報システムに入力された音声に基づいて医療情報を検索し、表示部１１０に表示させる。
【００３２】
ここで、制御部１０７は例えばＣＰＵであり、このＣＰＵがに記憶されたプログラムを実行することで音声情報取得部２０１、音声情報判断部２０２、医療銃砲取得部２０３、医療情報特定部２０４および表示制御部２０５としてとして機能する。
【００３３】
なお、制御部１０７が備えるＣＰＵおよび記憶装置は１つであってもよいし複数であってもよい。すなわち、少なくとも１以上の処理装置（ＣＰＵ）と少なくとも１つの記憶置（ＲＡＭおよびＲＯＭ）とが接続されており、少なくとも１以上の処理装置が少なくとも１以上の記憶装置に記憶されたプログラムを実行した場合に制御部１０７は上記の各手段として機能する。なお、処理装置はＣＰＵに限定されるものではなく、ＦＰＧＡ等であってもよい。
【００３４】
音声情報取得部２０１は、ネットワーク１００に接続された音声入力装置１１４を介して、音声情報を取得する。
【００３５】
音声情報特定部２０２は、取得した音声情報に患者の病名、または病名とは異なる患者の症状を示す用語が含まれているか否かを判断する。例えば、情報記憶部１０９は病名のリストおよび症状を示す用語のリストを保持している。音声情報特定部２０２は、例えば、情報記憶部１０９が保持している上記のリストを参照することで、音声情報に病名または患者の症状を示す用語が含まれているか否かを判断する。なお、音声情報から特定の用語を抽出する技術は既知の種々の手法により実現可能であり、特定の技術に限定されるものではない。
【００３６】
また、音声情報特定部２０２は、取得した音声情報に病名が含まれていない場合には症状を示す用語から病名を推定する。例えば、「咳が出て調子が悪かった」との音声情報を音声情報取得部２０１が取得した場合には、音声情報特定部２０２は「咳が出て」という症状を示す用語を抽出する。そして、音声情報特定部２０２は、医療知識データベース１１５に含まれる患者の症状を示す用語と病名とが対応付けられた情報を参照することで、「咳が出て」という症状を示す用語に対応付けられた病名を取得する。ここでは、音声情報特定部２０２は、「咳が出て」という症状を示す用語に対応付けら得ている「気管支喘息」および「肺炎」という病名を取得する。
【００３７】
その後、音声情報特定部２０２は医療知識データベース１１５に含まれる病名と基準値とが対応付けられた情報を参照し、「気管支喘息」に対して対応付けられた基準値および「肺炎」に対して対応付けられた基準値を取得する。そして、音声情報特定部２０２はＨＩＳ１０２等或いはクラウド１１２から患者の血液検査等の各種検査値を取得する。なお、音声情報特定部２０２は「調子が悪かった」という正常か異常かを示す用語も抽出している。従って、音声情報特定部２０２が取得した各種検査値と基準値とを比較することで、異常な値を示す検査値を特定することが可能である。例えば「肺炎」に対応付けられている基準値が「白血球数（ＣＲＰ）３５００〜９９００μl」であって、検査値が１００００μlであった場合（すなわち異常な場合）、音声情報特定部２０２は病名を「肺炎」と推定する。すなわち、音声情報特定部２０２は、異常な検査値に対応する基準値に対応付けられた病名を、患者の病名として推定する。なお、音声情報特定部２０２は一つの病名を推定することとしてもよいし複数の病名を推定することとしてもよい。
【００３８】
このように音声情報特定部２０２は、音声に病名が含まれず症状を示す用語が含まれる場合には症状を示す用語に基づいて病名を推定する。
【００３９】
医療情報取得部２０３は、ネットワーク１００に接続された受送信部１０６を介して、モダリティ１０１、ＨＩＳ１０２、ＲＩＳ１０３、ＰＡＣＳ１０４等に含まれる医用画像データ、患者基本情報等を含む患者の医療情報を取得する。医療情報には検査データ等も含まれる。
【００４０】
医療情報特定部２０４は、音声情報特定部２０２で特定された病名、もしくは症状から推定した病名に基づいて、医療情報取得部２０３が取得した医療情報のうち関連する情報のみを特定する。例えば、医療情報特定部２０４は、医療知識データベース１１５に含まれる病名と当該病名を特定するために用いられる検査、検査部位とが対応付けられた情報に基づいて、音声情報特定部２０２で特定または推定した病名に対応付けられた検査、検査部位を取得する。例えば病名が「肺炎」であれば医療情報特定部２０４は「Ｘ線検査」、「ＣＴ検査」、「胸部」という検査および検査部位を取得する。そして、医療情報特定部２０４は医療情報取得部２０３が取得した医療情報のうち「Ｘ線検査」、「ＣＴ検査」、「胸部」に関連する医療情報を特定する。医療情報特定部２０４は、例えば、画像のヘッダ等に含まれる部位情報を参照し、「胸部」という部位情報を有する画像を特定する。また、医療情報特定部２０４は、医療情報取得部２０３が取得した医療情報のうちＸ線画像およびＣＴ画像などを特定する。例えば、Ｘ線画像のヘッダにはＸ線検査による画像であることを示す情報が付加されているため、医療情報特定部はこのヘッダを参照することで画像を特定することが可能である。
【００４１】
表示制御部２０５は、医療情報特定部２０４に基づき、特定された医療情報と他の医療情報とを識別可能な状態で表示部１１０に医療情報を表示させる。この制御は表示指示に従いを実行される。例えば、表示制御部２０５は医療情報をサムネイルにし、図９のように表示部１１０に表示させる。この際、表示制御部２０５は医療情報特定部２０４が特定した医療情報とその他の医療情報とを識別可能な状態で表示部１１０に表示させる。例えば、表示制御部２０５は医療情報特定部２０４が特定した医療情報のサムネイルの枠を強調して表示部１１０に表示させるようにしてもよい。また、表示制御部２０５は医療情報特定部２０４が特定した医療情報以外の情報をグレーアウトして表示部１１０に表示させるようにしてもよい。
【００４２】
図３は、本発明の第１実施形態における情報処理装置の処理の大まかな流れの一例を示す図である。
【００４３】
ステップＳ３０１では、音声情報取得部２０１が、ネットワーク１００に接続された音声入力装置１１４を介して、医療従事者の音声情報を取得する。すなわち、音声情報取得部２０１は音声情報を認識する。
【００４４】
ステップＳ３０２では、音声情報判断部２０２が、ステップＳ３０１で取得した音声情報に、患者の病名、または病名とは異なる患者の症状を示す用語の少なくとも一方が含まれているか否かを判断する。
【００４５】
ステップＳ３０３では、音声情報判断部２０２が、ステップＳ３０２で取得した用語を、ネットワーク１１０を介して、医療知識データベース１１５内の情報と照合する。もし一致する情報があれば、該当する情報は情報記録部１０９に一時的に記憶される。例えば、ステップＳ３０２で取得した用語が「肺炎」であれば、ステップ３０３では医療知識データベース１１５に含まれる「肺炎」に対応付けられた情報が情報記録部１０９に一時的に記憶されることになる。病名である「肺炎」に対応付けられた情報とは例えば「Ｘ線検査」、「ＣＴ検査」、「胸部」などの検査および部位を示す情報である。
【００４６】
ステップＳ３０４では、医療情報取得部２０３が、ネットワーク１００を介して、モダリティ１０１、ＨＩＳ１０２、ＲＩＳ１０３、ＰＡＣＳ１０４等に含まれる患者の医療情報全般を取得する。より具体的には、例えば医療情報取得部２０３は診察中の患者ＩＤを取得し当該患者ＩＤに基づいて医療情報を取得する。なお、ステップＳ３０４の実行タイミングはステップＳ３０３の後に限定されるものではなく、ステップＳ３０４以前に実行されることとしてもよい。例えば、患者の診察を始める前の段階で医療従事者等の指示に基づいてステップＳ３０４が実行されることとしてもよい。
【００４７】
ステップＳ３０５では、医療情報特定部２０４が、ステップＳ３０３で照合した情報とステップＳ３０４の医療情報とで関連がある情報を特定する。例えば、医療情報特定部２０４は、ステップＳ３０４で取得した医療情報のうちステップＳ３０３で取得した検査および部位を示す情報を含む医療情報を特定する。例えば、ステップＳ３０４で取得した医療情報の中からＸ線画像およびＣＴ画像等が特定される。
【００４８】
ステップＳ３０６では、表示制御部２０５が、ステップＳ３０５で特定された医療情報とステップＳ３０４で取得した他の医療情報とを識別可能な状態で表示部１１０に医療情報を表示させる。なお、表示制御部２０５は、ステップＳ３０６以前にステップＳ３０４で取得した医療情報を表示部１１０に表示させることとしてもよい。例えば、ステップＳ３０１以前に診察する患者の医療情報のサムネイルを図９のようにマトリクス状に表示部１１０に表示させることとしてもよい。なお、表示制御部２０５はステップＳ３０５で特定された医療情報のみを表示部１１０に表示させることとしてもよい。
【００４９】
以上、Ｓ３０１〜Ｓ３０６のステップにより、音声情報を元に患者の病名や症状と関連のある情報を特定し、特定した情報を適切に提示することができる。従って、医療従事者は診察に必要な情報を容易に把握することが可能となる。
【００５０】
図４は本発明の第１実施形態における情報処理装置の音声認識部の処理の流れの一例を示す図である。これは図３のステップＳ３０１の処理の詳細なフローである。
【００５１】
ステップＳ４０１では、音声情報取得部２０１がユーザの音声を音声入力装置１１４から取得する。
【００５２】
ステップＳ４０２では、音声情報取得部２０１が、ステップＳ４０１で取得した音声を文字列に変換する。
【００５３】
ステップＳ４０３では、音声情報取得部２０１が、ステップＳ４０２で得られた文字列を単語に分解する。なお、文字列から単語の分解の過程では、複数文脈の情報を保持した統計モデル等を活用し、前後の文脈情報を保持していても良い。なお、ステップＳ４０２，４０３は既知の種々手法により実現可能である。このように、音声情報取得部２０１は、音声を認識する音声認識手段の一例に相当する。
【００５４】
ステップＳ４０４では、音声情報取得部２０１が、ステップＳ４０３で得られた単語から、医療情報との関連度の高いものを、ＨＩＳ１０２、ＲＩＳ１０３、ＰＡＣＳ１０４等や医療知識データベース１１５と照合する用語群として情報記録部１０９に一時的に記憶する。例えば、「肺炎」という病名、「咳が出て」という症状を示す用語および「調子が悪かった」という正常か異常かを示す用語が用語群として情報記録部１０９に一時的に記憶される。病名、症状、検査部位、検査内容と判断される用語は医療情報との関連度が高いと判断される。また、ＨＩＳ１０２、ＲＩＳ１０３、ＰＡＣＳ１０４内の情報と関連する単語も用語群として情報記録部１０９に一時記憶される。
【００５５】
以上、Ｓ４０１〜Ｓ４０４のステップにより、音声情報取得部２０１は、音声情報を取得する。
【００５６】
図５は本発明の第１実施形態における情報処理装置の音声情報特定部の処理の流れの一例を示す図である。これは図３のステップＳ３０２とステップＳ３０３の処理の詳細なフローである。
【００５７】
ステップＳ５００では、音声情報判断部２０２が、ステップＳ４０４で得られた用語群に基づいて病名の判定を行う。病名の判定処理は、ステップＳ４０４で得られた用語に対する処理が終わるまでの間、ステップＳ５０１〜５０６を繰り返すことで実行される。
【００５８】
ステップＳ５０１では、音声情報判断部２０２が、ステップＳ４０４で得られた照合する用語群内に病名に関する用語が含まれるか否かを判断する。すなわち、音声情報判断部２０２は、認識した音声に患者の病名および病名とは異なる患者の症状を示す用語の少なくとも一方が含まれているか否かを判断する判断手段の一例に相当する。
【００５９】
例えばステップＳ４０４で得られた用語群に「肺がん」という用語が含まれていれば、音声情報判断部２０２は用語群内に病名に関する用語が含まれていると判断する。病名に関する用語が含まれている場合、ステップＳ５０６へ進み、音声情報判断部２０２は医療知識データベース１１５から該当する病名に対応付けられた情報を照合する。病名に対応付けられた情報の具体例として、病名が「肺がん」の場合に該当する医療情報は、肺がんの主要な検査（Ｘ線検査、ＣＴ検査、血液検査等）とその基準値（腫瘍マーカー、ＣＥＡ：２．５（ｎｇ／ｍｌ）以下等）、検査部位（胸部）等が挙げられる。
【００６０】
なお、病名に関する用語が含まれていないと判断された場合、ステップＳ５０２にて、照合する用語群内に症状に関する用語が含まれるか否かを判断する。例えばステップＳ４０４で得られた用語群に「息切れしやすい」という用語が含まれていれば、音声情報判断部２０２は用語群内に症状に関する用語が含まれていると判断する。症状に関する用語が含まれている場合、音声情報判断部２０２はステップＳ５０３にて、医療知識データベース１１５からその症状を示す用語に対応付けられている病名を特定する。症状と病名との対応付けの具体例として、病名が「肺がん」の場合に対応付けられている症状を示す用語は、「血の混じった咳が出る」、「息切れしやすい」、「胸の痛み」等が挙げられる。例えば、音声情報判断部２０２は、「息切れしやすい」という用語に対応付けられている「肺がん」を病名と推定する。
【００６１】
ステップＳ５０４にて、医療知識データベース１１５内に該当する病名が存在した場合、音声情報判断部２０２は前記ステップＳ５０６の処理を行う。なお、該当する病名が存在しなくとも、症例と類似する病名の候補が複数ある場合は、該当する可能性の高い病名から順に関連度を付けることで病名の推定を行うこととしてもよい。関連度の付け方の一例として、ＨＩＳ１０２、ＲＩＳ１０３、ＰＡＣＳ１０４等の患者の医療履歴内に同一症状がある場合や患者の家族歴の病名に合致する症状がある場合はより関連度が高くなる。
【００６２】
また、ステップＳ５０４にて医療知識データベース１１５内に該当する病名が存在しなかった場合、ステップＳ５０５にて次の用語に切り替え、前記Ｓ５００内の処理を再度行う。
【００６３】
前記Ｓ５００内の処理を行い、対象となる用語の照合が終了したら、ステップＳ５０７にて音声情報判断部２０２は該当する病名に対応付けられた情報を情報記録部１０９に一時的に記憶する。該当する病名に対応付けられた情報には、病名、症状、その病名での主要な検査と基準値、検査部位を少なくともいずれかを含む。例えば、肺がんの主要な検査（Ｘ線検査、ＣＴ検査、血液検査等）とその基準値（腫瘍マーカー、ＣＥＡ：２．５（ｎｇ／ｍｌ）以下等）、検査部位（胸部）等が情報記録部１０９に一時的に記憶される。
【００６４】
以上、Ｓ５００〜５０７のステップにより、音声情報判断部２０２は病名または推定された病名に対応付けられた検査名、基準値および検査部位等の情報を特定する。
【００６５】
なお、ステップＳ５０１にてＮｏと判断された場合には、音声情報判断部２０２は現在処理対象としている音声情報より以前に処理した音声情報に病名が含まれているか否かを判断することとしてもよい。例えば、現在処理対象としている音声情報の直前または所定期間前（例えば数秒前）の音声情報に病名が含まれていた場合には、処理対象の音声情報も以前医師等が述べた病名に関するものである可能性が高い。これは自然な会話の中では病名を毎回述べるわけではなく省略することがあるためである。現在処理対象としている音声情報の直前または所定期間前の音声情報に病名が含まれていた場合には、その病名および推定した病名を用いて後述のように医療情報を特定することとしてもよい。すなわち、音声認識手段により認識された病名を含む第１の音声と第１の音声が認識されてから所定期間内に認識された病名を含まない第２の音声とにおいて、２の音声が認識された場合、特定手段は、第１の音声に含まれる病名および第２の音声に含まれる情報に基づいて過去の医療情報から一部の医療情報を特定する。
【００６６】
図６は本発明の第１実施形態における情報処理装置の医療情報取得部の処理の流れの一例を示す図である。これは図３のステップＳ３０４の処理の詳細なフローである。
【００６７】
ステップＳ６０１では、ユーザが医療情報を閲覧したい患者を指定する。例えば、医療従事者等のユーザは患者ＩＤを不図示の操作手段を介して入力することで患者を指定する。医療情報取得部２０３は入力された患者ＩＤを取得する。また、医療情報取得部２０３が、ステップＳ４０３にて分解した単語から患者氏名や患者ＩＤ番号を取得することで患者を指定することとしてもよい。
【００６８】
ステップＳ６０２では、医療情報取得部２０３が、ステップＳ４０１で指定された患者の医療情報を、ＨＩＳ１０２、ＲＩＳ１０３、ＰＡＣＳ１０４等から取得する。具体的には、医療情報取得部２０３は、患者氏名、生年月日、性別等の患者情報と診断結果、検査結果、特記事項等の患者属性情報として数値や画像情報等を取得する。なお、医療情報取得部２０３は、これらの情報にはそれぞれタグ付けを行い、項目毎に分類することとしてもよい。また医療情報取得部２０３が取得する上記の情報は例示であり他の情報を取得することとしてもよい。
【００６９】
ステップＳ６０３では、医療情報取得部２０３はステップＳ６０２で取得した患者情報を情報記録部１０９に一時的に登録する。登録時にはステップＳ４０２で付けたタグ情報を元に分類して登録する。
【００７０】
以上Ｓ６０１〜Ｓ６０３のステップにより、患者の医療情報を取得する。
【００７１】
図７は本発明の第１実施形態における情報処理装置の医療情報特定部の処理の流れの一例を示す図である。これは図３のステップＳ３０５の処理の詳細なフローである。
【００７２】
ステップＳ７００では、医療情報特定部２０４が、ステップＳ５０７にて保存された情報と患者の過去の医療情報とを照合し、特定する情報を判定する。情報の特定に関する処理は、ステップＳ５０７にて保存された病名に対応付けられた情報の照合が終わるまでの間、ステップＳ７０１〜７０３を繰り返すことで実行される。なお患者の過去の医療情報には、患者の病状、既往歴、家族歴、検査結果、診断結果、読影レポート、医用画像等の院内にある患者に関する情報全般が含まれる。
【００７３】
ステップＳ７０１では、医療情報特定部２０４が対象患者の過去の医療情報とステップＳ５０７にて保存された情報とが合致するか否かを判定する。例えば、ステップＳ５０７にて保存された情報が「胸部」であれば、過去の医療情報のうち胸部という情報を含む画像またはレポートを特定する。
【００７４】
ステップＳ５０７にて保存された情報と過去の医療情報とが合致した場合、ステップＳ７０２へ進む。すなわち、ステップＳ５０７にて保存された情報である例えば「胸部」という情報を含む過去の医療情報（例えば胸部Ｘ線画像）があればステップＳ７０２へ進む。すなわち、医療情報特定部２０４は、音声に病名が含まれていると判断された場合には病名に基づいて患者の過去の医療情報から一部の医療情報を特定し、音声に病名が含まれず症状を示す用語が含まれる場合には症状を示す用語に基づいて推定された病名に基づいて過去の医療情報から一部の医療情報を特定する特定手段に相当する。
【００７５】
ステップＳ７０２では、医療情報特定部２０４が対象患者の過去の医療情報から、ステップＳ３０２にて得た病名に関連する期間を特定する。例えば、医療情報特定部２０４は病名が示す重篤度に応じて期間を特定する。例えば、病名が「肺炎」と「肺癌」とでは、「肺癌」の方が生命に対する影響が大きいため「肺癌」の重篤度を「肺炎」の重篤度よりも高く設定しておく。そして、重篤度が高いほどステップＳ７０２では期間を長くする。これは重篤な場合にはより多くの情報を参照して慎重に診断を行う必要があるためである。すなわち、医療情報特定部２０４は、病名または推定された病名と病名または推定された病名が示す重篤度とに基づいて医療情報から一部の医療情報を特定する。また、重篤度は変更可能であってもよく、例えば、患者の年齢または性別の少なくとも一方に応じて重篤度を変更することとしてもよい。例えば、年齢が低い場合には同じ病名であっても重篤度を高くし、ある性別に対して死亡率が高い病名であれば性別に応じて重篤度を変更することとしてもよい。すなわち、医療情報特定部２０４は、患者情報に基づいて重篤度を変更する変更手段の一例に相当する。
【００７６】
なお、ステップＳ７０２を省略し予め決められ期間とすることとしてもよいし、常に全期間とすることとしてもよい。
【００７７】
ステップＳ７０３は、医療情報特定部２０４がステップＳ７０２で特定した期間内でステップＳ５０７にて保存された情報と対応する医療情報種別を特定する。例えば、ステップＳ５０７にて保存された情報が「Ｘ線検査」であり、ステップＳ７０１で過去の医療情報としてＸ線画像を医療情報特定部２０４が特定していれば、ステップＳ７０３では医療情報種別をＸ線画像と特定する。なお、医療情報種別には、ＤＩＣＯＭ画像等の検査画像の種別を含む。具体的には、ＤＩＣＯＭ画像には、Ｘ線検査画像やＣＴ検査画像、写真や動画像には、患部を撮影した写真、文書にはスキャン後の帳票等が挙げられる。
【００７８】
また、ステップＳ７０１にて、対象患者の過去の医療情報とステップＳ５０７にて保存された情報とが合致しなかった場合、ステップＳ７０４にて医療情報特定部２０４は、ステップＳ５０７にて保存された次の情報に切り替え、前記Ｓ７００内の処理を再度行う。
【００７９】
前記Ｓ７００内の処理を行い、対象となる医療情報の照合が終了したら、医療情報特定部２０４は、ステップＳ７０５にて、特定した期間と医療情報種別の情報に対し、優先度を設定する。優先度を設定する基準として、直近の医療情報（検査結果）または再発度の高い病名に関連する情報の場合はより優先度が高くなる。
【００８０】
ステップＳ７０６では、医療情報特定部２０４はステップＳ７０３で特定された医療情報種別に係る医療情報を情報記録部１０９に一時的に記憶する。
【００８１】
以上、Ｓ７００〜７０６のステップにより、医療情報特定部２０４は患者の過去の医療情報のうち一部の医療情報を特定する。
【００８２】
図８は本発明の第１実施形態における情報処理装置の医療情報の表示処理の流れの一例を示す図である。これは図３のステップＳ３０６の処理の詳細なフローである。
【００８３】
ステップＳ８００では、表示制御部２０５が、ステップＳ７０６の表示候補群を対象に表示コマンドに変換する処理を行う。表示コマンドへの変換処理は、対象となる医療情報の変換が終わるまでの間、ステップＳ８０１〜８１０を繰り返すことで実行される。
【００８４】
ステップＳ８０１では、表示制御部２０５がステップＳ７０２で特定した期間を期間コマンドに変換する。期間コマンドには年月日の情報が少なくとも含まれる。
【００８５】
ステップＳ８０２では、表示制御部２０５は表示候補群に含まれる医療情報を表示コマンドに変換する。ステップＳ８０３で医療情報の医療情報種別が特定された場合、表示制御部２０５はステップＳ８０４にて医療情報種別コマンドに変換する。医療情報種別コマンドには、医療画像種別が少なくとも含まれる。医療情報種別コマンドの具体例として、「Ｘ線検査」や「ＣＴ検査」等が挙げられる。他にも表示コマンドに限らず、特定した医療情報が含まれる任意に指定したビューワへの起動コマンドに変換しても良い。また、起動したビューワ内の情報を本情報処理装置へ表示するための表示指示コマンドに変換しても良い。
【００８６】
ステップＳ８０３で医療情報種別が特定されていない場合、ステップＳ８０４にて表示制御部２０５が、医療情報に係る部位が特定されているか判定する。すなわち、ステップＳ７０６で情報記録部１０９に一時的に記憶された医療情報に部位の情報が含まれているか否かを表示制御部２０５が判断する。部位が特定されていた場合、ステップＳ８０６にて表示制御部２０５は医療情報に含まれる「胸部」等の部位情報を部位コマンドに変換する。部位コマンドには、身体の部位を表す情報が少なくとも含まれる。部位コマンドの具体例として、「胸部」や「腹部」等が挙げられる。
【００８７】
ステップＳ８０５で部位が特定されていない場合、ステップＳ８０７にて、表示制御部２０５が検査値が特定されているか判定する。すなわち、ステップＳ７０６で情報記録部１０９に一時的に記憶された医療情報に検査値が含まれているか否かを表示制御部２０５が判断する。検査値が特定されていた場合、ステップＳ８０８にて表示制御部２０５は検査値を検査値コマンドに変換する。検査値コマンドには、ステップＳ３０５で特定した病名と対応する検査基準値と比較し、基準値以上、または以下となる情報が少なくとも含まれる。検査値コマンドの具体例として、「ＣＥＡ（腫瘍マーカー）基準値以上」等が挙げられる。
【００８８】
ステップＳ８１０では、表示制御部２０５が、ステップＳ８０４，８０６，８０８で生成されたコマンドを情報記録部１０９に記憶させる。。
【００８９】
なお、ステップＳ８０２にて医療情報種別のコマンド変換を行う情報が存在しない場合、もしくはステップＳ８０３、８０５、８０７で情報が特定されていない場合はステップＳ８０９にて次の医療情報に切り替え、前記Ｓ８００内の処理を再度行う。
【００９０】
前記ステップＳ８００内の処理を行い、対象となる情報の変換が終了したら、ステップＳ８１１にて、表示制御部２０５が対象となる医療情報の強調表示の有無を判定する。対象となる医療情報の強調表示をする場合は、ステップＳ８１２にて、ステップＳ８１０で保持した表示コマンドに対し、強調表示コマンドを任意に指定する。任意の指定方法は、音声入力装置１１４から得た音声を入力情報とすることを少なくとも含むが、グラフィカルユーザインターフェースの強調表示ボタンやコマンドラインから指定しても良い。具体例として、強調表示コマンドの一例を図９に示す。なお、初期設定として強調表示を有にすることが可能である。この際にはステップ８１１，８１２を省略することが可能である。すなわち、音声情報に基づいて特定された医療情報が自動的に強調されることになる。
【００９１】
ステップＳ８１３では、表示制御部２０５が、Ｓ８１２で指定した強調表示コマンドに従い、表示コマンドの表示処理を実行する。すなわち、表示制御部２０５は、特定手段により特定された医療情報と他の医療情報とを識別可能な状態で表示手段に表示させる。
【００９２】
図９は本発明の第１実施形態における表示処理（強調表示）の一例を示す図である。ここでは、横軸に期間９０１、縦軸に医療情報種別９０２を示す医療情報表示装置を例として説明する。強調表示を行うことなくステップＳ８１０の表示コマンドに該当する情報を表示すると、表示コマンドに該当する医療情報とその他の医療情報の識別が難しい。そのため強調表示コマンドには、表示期間の変更、医療情報種別の限定、特定した医療情報のみハイライト表示を行う等が挙げられる。また、表示画面９００に示すように音声情報に基づいて特定された医療情報以外の医療情報をグレーアウトすることで、音声情報に基づいて特定された医療情報と他の医療情報を識別可能としてもよい。なお、表示制御部２０５は、音声情報に基づいて特定された医療情報のみを表示部１１０に表示させることとしてもよい。
【００９３】
表示期間の変更では、表示期間を特定期間に限定することで、特定期間外の医療情報と識別可能にする。例えば、ステップＳ７０２で特定した期間で特定した期間に表示範囲を変更する。これにより、表示期間の変更前のスクロールバー９０３のような長期間の医療情報ではなく、強調表示コマンド適用後のスクロールバー９０４のように特定期間のみの表示画面９０５に限定した表示となる。従って、医療従事者等のユーザは診断に必要な情報を容易に探し出すことが可能となる。
【００９４】
医療情報種別の限定では、表示画面９０５に対して更に医療情報種別に限定することで、音声情報に基づいて特定された医療情報をその他の医療情報と識別可能に表示することとしてもよい。特定する医療情報種別に限定した表示画面９０６では、例えば「カメラ」の種別が特定外の医療情報であることから、「カメラ」の種別は非表示とした。
【００９５】
なお、表示画面９０７のように音声情報に基づいて特定された医療情報のサムネイルの表示枠を変化させることとしてもよい。具体的には、表示制御部２０５により枠の色を変化または枠を点滅等させる。
【００９６】
他にも、表示制御部２０５は図１０に示す人体を模式的に示す図１００１を表示部１１０に表示させ、ステップＳ８０６で得られた部位コマンドに対応する部分１００２を強調表示させることとしてもよい。また、表示制御部２０５は、部位コマンドに対応する部分１００２に並ぶ位置に関連するサムネイル画像を表示部１１０に表示させることとしてもよい。なお、サムネイル画像に代えて画像があることを示す文字情報などであってもよい。医療従事者は診察に対応する医療情報が存在することを図１０に示す画像を見ることで容易に理解できる。さらに、不図示の操作手段により表示されたサムネイルまたは文字情報が選択された場合には、対応する画像等の医療情報が表示部１１０に表示されることとしてもよい。
【００９７】
また、図１１に示すように、表示制御部２０５は、音声情報から得られた部位コマンドに基づいて病変部分のみを強調表示する画面を表示させることとしてもよい。具体的には、ＣＴやＭＲＩ画像等において、医療画像群が一纏めに管理された医療画像の集合体１１０１の中から、病変の変化が大きい画像内の病変部分１１０２のみを強調表示する。
【００９８】
また、図１２に示す表示画面のように、既に表示した医療情報と比較する形で表示しても良い。具体的には、６ヶ月前のＣＴ検査結果と直近のＣＴ検査結果を比較するという指示コマンドが発令された場合、画面左側に６ヶ月前の検査結果を表示した状態１２０１、画面右側に直近の検査結果を表示した状態１２０２の２つを同時に表示する。
【００９９】
上記の実施形態によれば、医師等が発する言葉を有効に利用にして診察に必要な医療情報を医師等に提示することが可能である。このようにすれば医師は医療情報の検索に費やす時間を削減することが可能となる。
【０１００】
なお、医師等の音声だけでなく患者の音声を認識し上記の処理を行うこととしてもよい。
【０１０１】
＜その他の実施形態＞
以上、実施形態例を詳述したが、本発明は例えば、システム、装置、方法、プログラム若しくは記録媒体（記憶媒体）等としての実施態様をとることが可能である。具体的には、複数の機器（例えば、ホストコンピュータ、インタフェース機器、撮像装置、ｗｅｂアプリケーション等）から構成されるシステムに適用しても良いし、また、一つの機器からなる装置に適用しても良い。
【０１０２】
また、本発明の目的は、以下のようにすることによって達成されることはいうまでもない。即ち、前述した実施形態の機能を実現するソフトウェアのプログラムコード（コンピュータプログラム）を記録した記録媒体（または記憶媒体）を、システムあるいは装置に供給する。係る記憶媒体は言うまでもなく、コンピュータ読み取り可能な記憶媒体である。そして、そのシステムあるいは装置のコンピュータ（またはＣＰＵやＭＰＵ）が記録媒体に格納されたプログラムコードを読み出し実行する。この場合、記録媒体から読み出されたプログラムコード自体が前述した実施形態の機能を実現することになり、そのプログラムコードを記録した記録媒体は本発明を構成することになる。
【符号の説明】
【０１０３】
２０１  音声情報取得部
２０２  音声情報判断部
２０３  医療情報取得部
２０４  医療情報特定部
２０５  表示制御部
【図１】
0006723708.tif 000002
【図２】
0006723708.tif 000003
【図３】
0006723708.tif 000004
【図４】
0006723708.tif 000005
【図５】
0006723708.tif 000006
【図６】
0006723708.tif 000007
【図７】
0006723708.tif 000008
【図８】
0006723708.tif 000009
【図９】
0006723708.tif 000010
【図１０】
0006723708.tif 000011
【図１１】
0006723708.tif 000012
【図１２】
0006723708.tif 000013